(57)【要約】【課題】台板に天端定規支持用のジベルを溶接する作業は面倒で、天端表示部材を設けたポールを、鉄筋に螺結したクリップ本体の締結ボルトに締結するやり方は極めて厄介な作業となる。【解決手段】本発明に係るコンクリート床版天端管理治具は、クリップ１(1)とばね治具(2)を備えている。該クリップ(1)は互いに交差する鉄筋(T1,T2)の交差部(C)に配設されるもので、基板部(11)を挟んで一方に、鉄筋の一方に対する弾発的な抱着部(12)を備え、他方に、互いに間隔を保って張出し鉄筋(T1,T2)の他方の周面と協働して該抱着部(12)の回転を阻止する一対の抑止片(13)及び該抑止片(13)間にあって該抱着部(12)の突出方向と反対方向へ突出する爪(14)を備えている。そして、該ばね治具(2)は、該爪(14)に嵌合する内径(d)を有するばね部(21)と、該ばね部(21)に螺合して該ばね部と相対的に旋行自在のレベル調整用のリング(22)を備えている。【選択図】  図１
2015031102.tif 000002
【特許請求の範囲】
【請求項１】
クリップ(1)とばね治具(2)を備え、
該クリップ(1)は、互いに交差する鉄筋(T1,T2)の交差部(C)に配設されるもので、基板部(11)を挟んで一方に、鉄筋(T1,T2)の一方に対する弾発的な抱着部(12)を備え、他方に、互いに間隔を保って張出し鉄筋(T1,T2)の他方の周面と協働して該抱着部(12)の回転を阻止する一対の抑止片(13)及び該抑止片(13)間にあって該抱着部(12)の突出方向と反対方向へ突出する爪(14)を備え、
該ばね治具(2)は、該爪(14)に嵌合する内径(d)を有するばね部(21)と、該ばね部(21)に螺合して該ばね部(21)と相対的に旋行自在のレベル調整用のリング(22)を備えている
ことを特徴とするコンクリート床版天端管理治具。
【請求項２】
該クリップ(1)は一枚の板材(31)を成形したものである請求項１に記載のコンクリート床版天端管理治具。
【請求項３】
該抱着部(12)は、該基板部(11)がその両端縁(32)から中央部分(33)を残して切断され、この切断によって現出した一対の切断片(34)を湾曲させて対設したものである請求項１又は２に記載のコンクリート床版天端管理治具。
【請求項４】
該抑止片(13)はその長さ方向の中間に段差部(41)が形成されている請求項１、２又は３に記載のコンクリート床版天端管理治具。
【請求項５】
該爪(14)は該抑止片(13)間の切込部(51)の一部を該基板部(11)との連続部(52)で該基板部(11)に対し起立させたものである請求項１、２、３又は４に記載のコンクリート床版天端管理治具。
【請求項６】
該爪(14)はその長さ方向の中間に拡幅部(61)を備えている請求項１から５の何れか一つの項に記載のコンクリート床版天端管理治具。
【請求項７】
該ばね部(21)は遊端部に把手部(71)を有している請求項１から６の何れか一つの項に記載のコンクリート床版天端管理治具。
【請求項８】
該リング(22)は弾性材製となっており、その軸孔(81)には該ばね部(21)のピッチ(P)に合致するねじ溝(82)が設けられている請求項１から６の何れか一つの項に記載のコンクリート床版天端管理治具。
【発明の詳細な説明】
【技術分野】
【０００１】
本発明はコンクリート床版の製造に際し、その天端側に所定のかぶりを確保するために採用される天端管理治具に関する。
【背景技術】
【０００２】
梁鉄骨８上のデッキプレート１４に床構築用ジベル９をスタッド溶接１５し、このジベル上端のテーパー頭部１０に台板１のテーパー孔２を嵌合し、この台板１の一端に設けたキャップ７付きの調節ボルト４を昇降させてコンクリートの床１６の厚さを決めるようにした考案が実開平６−５６３４７号公報（特許文献１）に開示されている。
【０００３】
また、Ｕ字状のクリップ本体を縦筋に当てがってボルト・ナットで締着する取付手段１と、天端位置表示板を備えたポールをこのボルト頭に可撓性連結部材を介して取付ける構造のコンクリート天端表示具も特開２０１１−４７１９３号公報に開示されている。
【先行技術文献】
【特許文献】
【０００４】
【特許文献１】実開平０６−５６３４７号公報 ： 段落０００８、００１０、図１
【特許文献２】特開２０１１−４７１９３号公報：段落００２０−００２１、００２３−００２５、００２７、図１
【発明の概要】
【発明が解決しようとする課題】
【０００５】
特許文献１に示されたコンクリート構築用天端定規装置は、天端定規ａを取付ける台板１を支持するジベル９を鉄骨梁８上に溶接する必要があり、大判のコンクリートの床の場合にはジベルの数も多くなるので、大変厄介な作業となっている。
【０００６】
また、特許文献２のコンクリート天端表示具は、湾曲させたクリップ本体１ａを縦鉄筋７又は横鉄筋８に抱かせ、このクリップ本体１ａの十字状の穴Ａとボルト挿通穴１１ａに締結ボルト１５を挿通して締結ナット１６で締結する。締結ボルト１５の板状頭部１４に、固定手段４により位置調節自在の天端表示部材３を設けたポール２を、可撓性連結部材６を介して、螺結する。縦筋と横筋の何れにも適用できるが、適用に際してはクリップ本体１ａを鉄筋に抱かせて締結ボルト１５と締結ナット１６で締結する必要があり、現場での作業に手間取る。また、かぶり寸法の設定には、固定手段４を弛めて天端表示部材３をポール２上で所定位置に移動し、この位置で再度固定手段４を締め付ける作業も必要である。
【０００７】
本発明の目的は、構造が簡単で廉価に構成でき、鉄筋に対する着脱も容易で、コンクリートの天端かぶり寸法の設定も容易な床版天端管理治具を提供することにある。
【課題を解決するための手段】
【０００８】
（請求項１）本発明に係るコンクリート床版天端管理治具は、クリップとばね治具を備えている。該クリップは、互いに交差する鉄筋の交差部に配設されるもので、基板部を挟んで一方に、鉄筋の一方に対する弾発的な抱着部を備え、他方に、互いに間隔を保って張出し鉄筋の他方の周面と協働して該抱着部の回転を阻止する一対の抑止片及び該抑止片間にあって該抱着部の突出方向と反対方向へ突出する爪を備えている。そして、該ばね治具は、該爪に嵌合する内径を有するばね部と、該ばね部に螺合して該ばね部と相対的に旋行自在のレベル調整用のリングを備えている。
【０００９】
クリップは基盤部を挟んで一方側に抱着部が、他方側に抑止片が設けられているので、クリップを鉄筋の交差部に配設する場合は、一対の抑止片を一方の鉄筋を跨ぐようにして他方の鉄筋の、この一方の鉄筋に相対する周面に対向させるように差し込み、抱着部を一方の鉄筋へ押し嵌めればよい。従って、鉄筋交差部に対するクリップの配設作業を簡単に行える。
【００１０】
一対の抑止片はこの取付け状態で他方の鉄筋に対し、この一方の鉄筋を跨いだ両側の周面と協働位置を保つので、抱着部がこの一方の鉄筋の周面上を回転することがない。このように、クリップを安定した状態で鉄筋の交差部に取り付けることができ、この取り付け作業も容易である。
【００１１】
また、ばね治具はそのばね部をクリップの爪に嵌合させるだけでクリップに取り付けられるので、螺結のように捻転の必要がなく、取付け作業が容易である。コンクリートのかぶり厚は、リングとばね部を相対的に捻転させることにより両者がばね部の軸線上で相対的に変位するので、調整が容易である。そして、コンクリート充填用のホースがリングに当ってばね治具が傾いても、ばね部が弾性を有しているので容易に復元し、従来技術と同様の作用効果を奏する。
【００１２】
（請求項２）該クリップは一枚の板材を成形したものであってもよい。
こうすると、抱着部、一対の抑止片及び爪は一枚もので構成されるので、製造が容易で、コストも低下でき、取り扱いもし易い。
【００１３】
（請求項３）該抱着部は、該基板部がその両端縁から中央部分を残して切断され、この切断によって現出した一対の抱着片を湾曲させて対設したものであってもよい。
こうすると、抱着部はクリップの中央部分に形成されるので鉄筋に対し左右のバランス良く抱着させることができ、その結果、ばね治具を鉄筋に対し直角に支持して正確かぶり寸法を確保できる。
【００１４】
（請求項４）該抑止片はその長さ方向の中間に段差部が形成されていてもよい。
抱着部の中央部分は基板部と面一なので、クリップを鉄筋の交差部に掛け渡すと、抑止片は対応する鉄筋の当接面で押し退けられて傾斜する。抑止片の傾斜によって爪も傾くので、この爪と係合しているばね治具も傾き、リングが設定位置を保てなくなる。そのため、正確なかぶりを得にくくなる。そこで、こうすると、この段差部により抑止片の傾きが無くなるので正確なかぶりを得られる。
【００１５】
（請求項５）該爪は該抑止片間の切込部の一部を該基板部との連続部で該基板部に対し起立させたものであってもよい。
こうすると、爪は基板部と一体なので別個のものを取付けたりする必要がなく、構成が簡単である。
【００１６】
（請求項６）該爪はその長さ方向の中間に拡幅部を備えていてもよい。
こうすると、ばね治具のばね部を爪に容易に嵌合でき、嵌合完了状態では拡幅部とばね部の緊密な接合によりばね部のぐらつきが無くなるのでリングを安定でき、正確な天端かぶり寸法を提供できる。
【００１７】
（請求項７）該ばね部は遊端部に把持部を有していてもよい。
こうすると、把持部があるので、コンクリートの充填後にばね治具を取り外す際、この把持部に手を当てて回転すれば、ばね部を簡単に取り外せる。
【００１８】
（請求項８）該リングは弾性材製となっており、その軸孔には該ばね部のピッチに合致するねじ溝が設けられていてもよい。
こうすると、ねじ溝付きリングの成型が容易で、ばね部との螺合も正確なので、リングの調整によりコンクリートの天端かぶりを正確に確保できる。
【発明の効果】
【００１９】
（請求項１）本発明のコンクリート床版天端管理治具によれば、クリップは基盤部を挟んで一方側に抱着部が、他方側に抑止片が設けられているので、クリップを鉄筋の交差部に配設する場合、一対の抑止片を一方の鉄筋を跨ぐようにして他方の鉄筋のこの一方の鉄筋に相対する周面に対向させるように差し込み、抱着部を一方の鉄筋へ押し嵌めればよい。
【００２０】
抑止片はこの取付け状態で他方の鉄筋の、この一方の鉄筋を跨いだ両側の周面と協働位置を保つので、抱着部がこの一方の鉄筋の周面上を回転することがない。このように、クリップを安定した状態で鉄筋の交差部に取り付けることができ、この取付け作業も容易である。
【００２１】
また、ばね治具はそのばね部をクリップの爪に嵌合させるだけでクリップに取り付けられるので、螺結のように捻転の必要がなく、取付け作業が容易である。コンクリートのかぶり厚は、リングを回転させることによりリングがばね部に対し捻転しながら移動して位置を変えるので、調整が容易である。そして、コンクリート充填用のホースがリングに当ってばね治具が傾いても、ばね部が弾性を有しているので容易に復元し、従来技術と同様の作用効果を奏する。
【００２２】
請求項２によれば、抱着部、一対の抑止片及び爪は一枚もので構成されるので、製造が容易で、コストも低下でき、取り扱いもし易い。
【００２３】
請求項３によれば、抱着部はクリップの中央部分に位置するので鉄筋に対し左右のバランス良く抱着させることができ、その結果、ばね治具を鉄筋に対し直角に支持して正確かぶり寸法を確保できる。
【００２４】
請求項４によれば、抑止片は段差部により対応する鉄筋との当接を避けるので押し退けられて傾斜することがなく、爪も傾かないので、この爪と係合しているばね治具は垂直を保って正確なかぶりを得られる。
【００２５】
請求項５によれば、爪は基板部と一体なので別個のものを取付けたりする必要がなく、構成が簡単である。
【００２６】
請求項６によれば、ばね治具のばね部を爪に容易に嵌合でき、嵌合完了状態では拡幅部とばね部の緊密な接合によりばね部のぐらつきが無くなるのでリングを安定でき、正確な天端かぶり寸法を提供できる。
【００２７】
請求項７によれば、把手部があるので、コンクリートの充填後にばね治具を取り外す際、この把手部に手を当てて回転すれば、ばね部を簡単に取り外せる。
【００２８】
請求項８によれば、ねじ溝付きリングの成型が容易で、ばね部との螺合も正確なので、リングの調整によりコンクリートの天端かぶりを正確に確保できる。
【図面の簡単な説明】
【００２９】
【図１】本発明にかかるコンクリート床版天端管理治具のプレートの具体例を示す斜面図である。
【図２】同平面図である。
【図３】図２の矢視３−３図である。
【図４】図２の矢視４−４図である。
【図５】ばね治具の正面図で、リング２２を半分切断で示す。
【図６】図５の矢視６−６図である。
【図７】鉄筋の交差部に対するクリップ１の取付け状態の斜面図である。
【図８】鉄筋の交差部に本発明に係るコンクリート床版天端管理治具を取付けた状態の斜面図である。
【発明を実施するための形態】
【００３０】
本発明の実施例を、図面を参照して説明する。なお、以下の説明で同一符号は同一もしくは相応部分を示す。
【００３１】
（請求項１）コンクリート床版天端管理治具は、図１に示すクリップ１と、図５に示すばね治具２を備えている。このクリップ１は、図３及び図７に示すように、互いに交差する鉄筋Ｔ１とＴ２の交差部Ｃに配設されるものである。クリップ１は図１、図２及び図３に示すように、基板部１１を挟んで一方に鉄筋Ｔ１に対する弾発的な抱着部１２を備え、他方に、互いに間隔を保って張出し鉄筋Ｔ２の周面と協働してこの抱着部１２の回転を阻止する一対の抑止片１３及びこれらの抑止片１３間にあって抱着部１２の突出方向と反対方向へ突出する爪１４を備えている。そして、ばね治具２は、図５、図６及び図８に示すように、爪１４に嵌合する内径ｄを有するばね部２１と、このばね部２１に螺合してばね部２１に対し旋行自在のレベル調整用のリング２２を備えている。ここでいう「旋行」は「螺合」と密接に関係しており、互いに螺合しているリング２２とばね部２１を相対的に回転させると両者の位置関係がばね部の軸線方向に変位することを意味する。
【００３２】
図７及び図８で、クリップ１は、鉄筋Ｔ１と鉄筋Ｔ２の交差部Ｃに、以下のようにして取付けられる。即ち、その一対の抑止片１３を、一方の鉄筋Ｔ１を跨ぐようにして他方の鉄筋Ｔ２の一方の鉄筋Ｔ１に相対する周面に向け差し込む。このとき、爪１４と他方の鉄筋Ｔ２との間にばね部２１を爪１４に嵌合できる隙間を残しておく。一対の抑止片１３が他方の鉄筋Ｔ２に相対する周面に届いたら、抱着部１２を一方の鉄筋Ｔ１にその側面側から押し嵌める。抱着部１２が鉄筋Ｔ１に弾発的に抱着すると、爪１４は起立する。このように、クリップ１を鉄筋Ｔ１と鉄筋Ｔ２の交差部Ｃに取付けるのが容易である。この取付け状態で一対の抑止片１３は他方の鉄筋Ｔ２の周面と協働位置を保つので、抱着部１２が回転しようとすると回転方向後方の抑止片１３が他方の鉄筋の周面に当接してこれを阻止し、クリップ１の回転するのを防ぐ。そのため、ばね治具２は傾くことがなく、正確なかぶりを確保できる。
【００３３】
ばね治具２はそのばね部２１をクリップ１の爪１４に嵌合させるだけでクリップ１に取り付けられるので、螺結のように捻転の必要がなく、取付け作業が容易である。コンクリートのかぶり厚は、図５で分かるとおり、リング２２を回転させるとリング２２がばね部２１に対し捻転しながらばね部２１の軸線方向へ変位するので、最大厚ｔ１から最小厚ｔ２まで、調整が容易である。そして、コンクリート充填用のホースがリング２２に当ってばね治具２が傾いても、ばね部２１が弾性を有しているので容易に復元し、従来技術と同様の作用効果を奏する。
【００３４】
（請求項２）図２に示す通り、クリップ１は一枚の板材３１を成形したものである。図２では板材３１は長方形状となっているが、抱着部１２がはめ込まれる鉄筋Ｔ１やＴ２の径が大きくて、抱着部１２の内径を大きくする必要がある場合は、大判の板材３１を採用し、又は抱着部１２の部分だけ広幅広なったものを採用する。
この場合、抱着部１２、一対の抑止片１３、１３及び爪１４は一枚もので構成されるので、製造が容易で、コストも低下でき、取り扱いもし易い。
【００３５】
（請求項３）抱着部１２は、板材３１がその両側の端縁３２から基板部１１及び中央部分３３を残して切断され、この切断によって現出した一対の抱着片３４を湾曲させて対設したものとなっている。
この場合、抱着部１２はクリップ１の中央部分３３に形成されるので鉄筋Ｔ１又はＴ２に対し左右のバランス良く抱着させることができ、その結果、ばね治具２を鉄筋Ｔ２又はＴ１に対し直角に支持して正確なかぶり寸法を確保できる。
【００３６】
（請求項４）抑止片１３、１３はその伸長方向の中間に段差部４１、４１が形成されている。
抱着部１２の中央部分３３は基板部１１と面一なので、クリップ１を鉄筋Ｔ１とＴ２の交差部Ｃに掛け渡すと、抑止片１３、１３は対応する鉄筋の当接面で押し退けられて傾斜する。抑止片１３、１３の傾斜によって爪１４も傾くので、この爪１４と係合しているばね治具２も傾き、リング２２が設定位置を保てなくなる。そのため、正確なかぶりを得にくくなる。しかしながら、この場合は、この段差部４１、４１があるので、抑止片１３、１３は対応する鉄筋との当接を避けてばね治具２を垂直に保ち、リング２２により正確なかぶりを得られる。
【００３７】
（請求項５）爪１４は抑止片１３、１３間の切込部５１の一部を基板部１１との連続部５２でこの基板部１１に対し起立させたものとなっている。
この場合、爪１４は基板部１１と一体なので別個のものを取付けたりする必要がなく、構成が簡単である。
【００３８】
（請求項６）爪１４はその長さ方向の中間に拡幅部６１を備えている。
この場合、ばね治具２のばね部２１を爪１４に容易に嵌合でき、嵌合完了状態では拡幅部６１とばね部２１の緊密な接合によりばね部２１のぐらつきが無くなるのでリング２２が安定し、正確な天端かぶり寸法を提供できる。
【００３９】
（請求項７）ばね部２１は一端部に把持部７１を有している。
この場合、把持部７１があるので、コンクリートの充填後にばね治具２を取り外す際、この把持部７１に手を当てて回転すれば、ばね部２１を簡単に取り外せる。
【００４０】
（請求項８）リング２２は弾性材製となっており、その軸孔８１にはばね部２１のピッチｐに合致するねじ溝８２が設けられている。
この場合、ねじ溝８２付きリング２２の成型が容易で、ばね部２１との螺合も正確なので、リング２２の調整によりコンクリートの天端かぶりを正確に確保できる。
【００４１】
なお、図面で、９１は抱着片３４の遊端に形成された誘導片で、鉄筋への押し嵌めを容易にするためのものである。
【符号の説明】
【００４２】
１    クリップ
２    ばね治具
Ｔ１、Ｔ２   鉄筋
Ｃ    交差部
１１  基板部
１２  抱着部
１３  抑止片
１４  爪
ｄ    内径
２１  ばね部
２２  リング
ｐ    ピッチ
３１  板材
３２  端縁
３３  中央部分
３４  抱着片
４１  段差部
５１  切込部
５２  連続部
６１  拡幅部
７１  把持部
８１  軸孔
８２  ねじ溝
９１  誘導片
【図１】
2015031102.tif 000003
【図２】
2015031102.tif 000004
【図３】
2015031102.tif 000005
【図４】
2015031102.tif 000006
【図５】
2015031102.tif 000007
【図６】
2015031102.tif 000008
【図７】
2015031102.tif 000009
【図８】
2015031102.tif 000010